(57)【特許請求の範囲】
【請求項１】
読取対象を光学的に読み取る読取対象読取手段と、
前記読み取った読取対象のカテゴリの選択を受け付けるカテゴリ選択受付手段と、
前記カテゴリに対応する検索条件を前記カテゴリ毎に少なくとも１つ記憶する検索条件記憶手段と、
前記カテゴリに対応する検索条件を前記検索条件記憶手段から特定し、特定した検索条件と、前記読取対象読取手段が読み取った読取対象の情報と、前記カテゴリ選択受付手段が選択を受け付けたカテゴリとを少なくとも含む検索要求を検索サーバへ送信する検索要求手段と、
前記検索要求に基づく検索により得られた、前記読取対象の情報と前記カテゴリと前記検索条件との組合せに応じた検索結果を、前記検索サーバより受信する検索結果受信手段と、
少なくとも前記カテゴリ選択受付手段が選択を受け付けたカテゴリと前記検索要求手段が特定した検索条件との組合せに応じて予め決められているマークアップ言語のテンプレートを用いて、前記検索サーバより受信した検索結果に基づき、前記カテゴリと前記検索条件との組合せに応じた形式で前記検索結果を自装置に内蔵する記録媒体へ自動登録する検索結果登録手段と、
を備えることを特徴とする情報管理装置。
【請求項２】
前記カテゴリが本、前記読取対象の情報がタイトル、前記検索条件が著者名または要約であり、
前記検索結果登録手段は、
前記検索要求の結果受信した検索結果であって、本、タイトル、著者名の組合せによる検索結果を、少なくとも本、著者名の組合せで特定されるマークアップランゲージの記述方式により前記記録媒体へ自動登録し、
前記検索要求の結果受信した検索結果であって、本、タイトル、要約の組合せによる検索結果を、少なくとも本、要約の組合せで特定されるマークアップランゲージの記述方式により前記記録媒体へ自動登録する
ことを特徴とする請求項１に記載の情報管理装置。
【請求項３】
前記カテゴリが植物、前記読取対象の情報が画像、前記検索条件が名前であり、
前記検索結果登録手段は、
前記検索要求の結果受信した検索結果であって、植物、画像、名前の組合せによる検索結果を、少なくとも植物、名前の組合せで特定されるマークアップランゲージの記述方式により前記記録媒体へ自動登録する。
ことを特徴とする請求項１に記載の情報管理装置。
【請求項４】
情報管理装置における情報管理方法であって、
読取対象読取手段が、読取対象を光学的に読み取り、
カテゴリ選択受付手段が、前記読み取った読取対象の情報のカテゴリの選択を受け付け、
検索条件記憶手段が、前記カテゴリに対応する検索条件を前記カテゴリ毎に少なくとも１つ記憶し、
検索要求手段が、前記カテゴリに対応する検索条件を前記検索条件記憶手段から特定し、特定した検索条件と、前記読取対象読取手段が読み取った読取対象の情報と、前記カテゴリ選択受付手段が選択を受け付けたカテゴリとを少なくとも含む検索要求を検索サーバへ送信し、
検索結果受信手段が、前記検索要求に基づく検索により得られた、前記読取対象の情報と前記カテゴリと前記検索条件との組合せに応じた検索結果を前記検索サーバより受信し、
検索結果登録手段が、少なくとも前記カテゴリ選択受付手段が選択を受け付けたカテゴリと前記検索要求手段が特定した検索条件との組合せに応じて予め決められているマークアップ言語のテンプレートを用いて、前記検索サーバより受信した検索結果に基づき、前記カテゴリと前記検索条件との組合せに応じた形式で前記検索結果を自装置に内蔵する記録媒体へ自動登録する
ことを特徴とする情報管理方法。
【請求項５】
情報管理装置のコンピュータを、
読取対象を光学的に読み取る読取対象読取手段、
前記読み取った読取対象の情報のカテゴリの選択を受け付けるカテゴリ選択受付手段、
前記カテゴリに対応する検索条件を前記カテゴリ毎に少なくとも１つ記憶する検索条件記憶手段から前記カテゴリに対応する検索条件を特定し、特定した検索条件と、前記読取対象読取手段が読み取った読取対象の情報と、前記カテゴリ選択受付手段が選択を受け付けたカテゴリとを少なくとも含む検索要求を検索サーバへ送信する検索要求手段、
前記検索要求に基づく検索により得られた、前記読取対象の情報と前記カテゴリと前記検索条件との組合せに応じた検索結果を前記検索サーバより受信する検索結果受信手段、
少なくとも前記カテゴリ選択受付手段が選択を受け付けたカテゴリと前記検索要求手段が特定した検索条件との組合せに応じて予め決められているマークアップ言語のテンプレートを用いて、前記検索サーバより受信した検索結果に基づき、前記カテゴリと前記検索条件との組合せに応じた形式で前記検索結果を自装置に内蔵する記録媒体へ自動登録する検索結果登録手段、
として機能させるためのプログラム。
【発明の詳細な説明】
【技術分野】
【０００１】
本発明は、光学的に読み取った情報を、利用者の保持する端末装置に登録する情報管理装置及び情報管理方法ならびにそのプログラムに関する。
【背景技術】
【０００２】
デジタルカメラやデジタルカメラ付き携帯電話の普及により、様々な物体を撮影して、その撮影した情報を個人特有の情報として、サーバや端末に蓄積することが行われている。これにより、デジタルカメラや携帯電話のユーザは、自身が目にした様々な情報を履歴として保存することで、アルバムや日記などとして利用することができる。なお、撮影した情報を登録する関連技術が、特許文献１に開示されている。
【特許文献１】特開平１１−１７５５３３号公報
【発明の開示】
【発明が解決しようとする課題】
【０００３】
ところで、上述のようにユーザが撮影した様々な情報を、登録する際には、撮影した情報の名前、カテゴリ、関連情報など、様々な属性を共に登録することが考えられるが、それらの登録の作業を容易に、関連情報の内容を詳細に、また、後からの登録情報の検索に便利となるように登録できる装置が望まれている。
【０００４】
そこでこの発明は、ユーザが撮影した様々な情報を登録する際に、それらの登録の作業を容易に、また関連情報の内容を詳細に、また後からの登録情報の検索に便利となるように登録できる情報管理装置及び情報管理方法ならびにそのプログラムを提供することを目的としている。
【課題を解決するための手段】
【０００５】
上記目的を達成するために、本発明は、読取対象を光学的に読み取る読取対象読取手段と、前記読み取った読取対象のカテゴリの選択を受け付けるカテゴリ選択受付手段と、前記カテゴリに対応する検索条件を前記カテゴリ毎に少なくとも１つ記憶する検索条件記憶手段と、前記カテゴリに対応する検索条件を前記検索条件記憶手段から特定し、特定した検索条件と、前記読取対象読取手段が読み取った読取対象の情報と、前記カテゴリ選択受付手段が選択を受け付けたカテゴリとを少なくとも含む検索要求を検索サーバへ送信する検索要求手段と、前記検索要求に基づく検索により得られた、前記読取対象の情報と前記カテゴリと前記検索条件との組合せに応じた検索結果を、前記検索サーバより受信する検索結果受信手段と、少なくとも前記カテゴリ選択受付手段が選択を受け付けたカテゴリと前記検索要求手段が特定した検索条件との組合せに応じて予め決められているマークアップ言語のテンプレートを用いて、前記検索サーバより受信した検索結果に基づき、前記カテゴリと前記検索条件との組合せに応じた形式で前記検索結果を自装置に内蔵する記録媒体へ自動登録する検索結果登録手段と、を備えることを特徴とする情報管理装置である。
【０００６】
また本発明は、上述の情報管理装置において、前記カテゴリが本、前記読取対象の情報がタイトル、前記検索条件が著者名または要約であり、前記検索結果登録手段は、前記検索要求の結果受信した検索結果であって、本、タイトル、著者名の組合せによる検索結果を、少なくとも本、著者名の組合せで特定されるマークアップランゲージの記述方式により前記記録媒体へ自動登録し、前記検索要求の結果受信した検索結果であって、本、タイトル、要約の組合せによる検索結果を、少なくとも本、要約の組合せで特定されるマークアップランゲージの記述方式により前記記録媒体へ自動登録することを特徴とする。
【０００７】
また本発明は、上述の情報管理装置において、前記カテゴリが植物、前記読取対象の情報が画像、前記検索条件が名前であり、前記検索結果登録手段は、前記検索要求の結果受信した検索結果であって、植物、画像、名前の組合せによる検索結果を、少なくとも植物、名前の組合せで特定されるマークアップランゲージの記述方式により前記記録媒体へ自動登録することを特徴とする。
【０００８】
また本発明は、情報管理装置における情報管理方法であって、読取対象読取手段が、読取対象を光学的に読み取り、カテゴリ選択受付手段が、前記読み取った読取対象の情報のカテゴリの選択を受け付け、検索条件記憶手段が、前記カテゴリに対応する検索条件を前記カテゴリ毎に少なくとも１つ記憶し、検索要求手段が、前記カテゴリに対応する検索条件を前記検索条件記憶手段から特定し、特定した検索条件と、前記読取対象読取手段が読み取った読取対象の情報と、前記カテゴリ選択受付手段が選択を受け付けたカテゴリとを少なくとも含む検索要求を検索サーバへ送信し、検索結果受信手段が、前記検索要求に基づく検索により得られた、前記読取対象の情報と前記カテゴリと前記検索条件との組合せに応じた検索結果を前記検索サーバより受信し、検索結果登録手段が、少なくとも前記カテゴリ選択受付手段が選択を受け付けたカテゴリと前記検索要求手段が特定した検索条件との組合せに応じて予め決められているマークアップ言語のテンプレートを用いて、前記検索サーバより受信した検索結果に基づき、前記カテゴリと前記検索条件との組合せに応じた形式で前記検索結果を自装置に内蔵する記録媒体へ自動登録することを特徴とする情報管理方法である。
【０００９】
また本発明は、情報管理装置のコンピュータを、読取対象を光学的に読み取る読取対象読取手段、前記読み取った読取対象の情報のカテゴリの選択を受け付けるカテゴリ選択受付手段、前記カテゴリに対応する検索条件を前記カテゴリ毎に少なくとも１つ記憶する検索条件記憶手段から前記カテゴリに対応する検索条件を特定し、特定した検索条件と、前記読取対象読取手段が読み取った読取対象の情報と、前記カテゴリ選択受付手段が選択を受け付けたカテゴリとを少なくとも含む検索要求を検索サーバへ送信する検索要求手段、前記検索要求に基づく検索により得られた、前記読取対象の情報と前記カテゴリと前記検索条件との組合せに応じた検索結果を前記検索サーバより受信する検索結果受信手段、少なくとも前記カテゴリ選択受付手段が選択を受け付けたカテゴリと前記検索要求手段が特定した検索条件との組合せに応じて予め決められているマークアップ言語のテンプレートを用いて、前記検索サーバより受信した検索結果に基づき、前記カテゴリと前記検索条件との組合せに応じた形式で前記検索結果を自装置に内蔵する記録媒体へ自動登録する検索結果登録手段、として機能させるためのプログラムである。
【発明の効果】
【００１０】
本発明によれば、情報管理装置に備えられた光学読取装置を用いて取得した読取対象の情報を登録する際に、その関連情報を逐一検索して調べることなく、検索処理によって検索された詳細な関連情報を容易に登録することができる。また、登録する情報が、その情報に特化したＸＭＬテンプレートによって登録されることとなるので、登録情報がマークアップランゲージであるため、後の検索処理を容易に行うことができ、また情報に特化した表示形式となるような登録を行うことができる。例えば、本のタイトルに関連する情報は、その情報に特化した画面表示形態となることが望ましく、このような課題を解決することができる。
【発明を実施するための最良の形態】
【００１１】
以下、本発明の一実施形態による情報管理装置を図面を参照して説明する。
図１は同実施形態による情報管理装置の構成を示すブロック図である。
この図において、符号１は情報管理装置である。また２は検索サーバである。そして情報管理装置１と検索サーバ２とは通信ネットワークを介して接続されている。なお情報管理装置１は、ユーザが携帯する携帯電話、ＰＤＡ（personal digital assistant）などの端末内に格納されたものを想定している。そして情報管理装置１は、通信ネットワークを介して検索サーバ２と情報を送受信する通信処理部１１、情報管理装置１内の各処理部を制御する制御部１２、自装置に内蔵された光学読取装置を駆動して光学的に情報を読み取る情報読取部１３、読み取った情報に基づいて検索条件を特定する検索条件特定部１４、検索条件などの情報からなる検索要求を検索サーバ２へ送信する検索要求部１５、検索要求の結果に基づいて、光学的に読み取った情報や検索結果で示される情報などを自動的に自装置内の記憶部に登録する登録処理部１６、登録される情報や、各処理部が処理を行うために必要なパラメータ等を記憶するデータベース１７、を備えている。なお、データベース１７は、情報管理装置１に内蔵されているフラッシュメモリやＨＤＤ（Hard Disk Drive）でもよいし、情報管理装置１に挿入接続されたＵＳＢ（Universal Serial Bus）メモリ、ＳＤメモリーカード（SD Memory Card）、ＭＭＣ（MultiMedia Card）などであってもよい。またＩＣカードやセキュアな記録媒体を利用するようにしてもよい。
【００１２】
そして、本実施形態において、情報管理装置１は、読取対象を光学的に読み取り、読み取った読取対象の情報のカテゴリの選択を受け付ける。また、カテゴリに対応する検索条件を予め記憶しており、選択されたカテゴリに対応する検索条件を記憶手段から特定し、読み取った読取対象の情報と、選択を受け付けたカテゴリと、特定した検索条件と、を少なくとも含む検索要求を検索サーバ２へ送信する。そして、情報管理装置１は、検索要求の検索結果を検索サーバ２より受信し、読取対象の情報とカテゴリと検索条件との組合せに応じた検索結果を、少なくともカテゴリと検索条件の組合せに応じた登録処理により、自装置に内蔵するデータベース（記録媒体）へ自動登録する。
【００１３】
図２は情報登録時の画面例を示す第１の図である。
この図は、情報管理装置１を用いて情報登録を行う際の初期画面であり、ユーザが情報登録処理の指示を情報管理装置１に入力すると、当該情報管理装置１の表示部に表示される。この画面を利用して、ユーザはカテゴリ選択を行ってからデータ登録するか（データ登録―カテゴリ選択）、または情報を光学読取装置によって先に読み取るか（データ登録―データスキャン）、または新たなカテゴリ名を登録するかを指定する。ここで、カテゴリとは登録する情報の種別である。
【００１４】
図３は情報登録時の画面例を示す第２の図である。
この図は、どのようなカテゴリが登録できるかを参照する際や、既に光学読取装置で読み取った情報を参照する際に利用する画面である。
図４は情報登録時の画面例を示す第３の図である。
この図は、カテゴリ選択を行う際に、情報管理装置１の表示部に表示される画面である。予め登録されたカテゴリや、ユーザが登録したカテゴリの一覧が表示される。ユーザは情報管理装置１の入力部を操作して、カテゴリを選択し、選択ボタンを押下することにより、カテゴリを選択することができる。
図５は情報登録時の画面例を示す第４の図である。
この図は、登録された情報を後に参照するための画面である。例えば、ユーザが、カテゴリが『本』である情報を登録した場合には、その本のタイトル（光学読取装置で読み取った情報）に対応する著者名や要約などの情報が情報管理装置１に登録され、この図で示すような画面がユーザの操作によって表示される。
【００１５】
図６は情報管理装置の処理フローを示す図である。
次に、図６を用いて、本発明の実施形態による情報管理装置の処理フローについて説明する。
まず、ユーザは、情報登録時の画面（図２）を情報管理装置１の表示部に表示させ、データ登録（データスキャン）を選択する。すると情報管理装置１に内蔵された光学読取装置が起動し、ユーザは、当該情報管理装置１を用いて、読取対象を光学的に読み取る（ステップＳ１０１）。例えば読取対象とは、紙に書かれた本のタイトルなどの文字情報や、実在する物体などであり、文字情報であれば、情報管理装置１のＯＣＲ（optical character reader）などの光学読取装置が文字情報を読み取る。実在する物体であれば情報管理装置１に備えられたデジタルカメラにより物体を撮影し、その画像を読み取る。そして、その読み取った読取対象の情報は情報読取部１３が取得する。以下、読取対象が本のタイトルである場合の例を用いて説明する。
【００１６】
情報読取部１３が読取対象の情報（本のタイトル）を取得すると、次に、検索条件特定部１４は、『タイトル』という文字列がどのカテゴリに属するかを指定するためのカテゴリ選択画面（図４）を表示部に出力し、ユーザからカテゴリの選択を受け付ける（ステップＳ１０２）。ここで選択されたカテゴリが『本』であるとする。なお、情報管理装置１は、カテゴリに対応する検索条件を記憶している。検索条件とは、カテゴリで示される情報に関連する情報を、検索サーバにおいて検索するためのキーとなる情報であり、例えば、カテゴリが『本』であれば、検索条件は『著者名』，『要約』などであり、カテゴリと検索条件との検索条件対応表をデータベース１７で記憶している。そして、検索条件特定部１４は、カテゴリ『本』に対応する検索条件『著者名』，『要約』をデータベース１７の検索条件対応表から読み取る（ステップＳ１０３）。そして検索条件特定部１４は、読取対象の情報『タイトル』と、カテゴリを示す『本』と、検索条件を示す『著者名』，『要約』の各情報を検索要求部１５に通知する。
【００１７】
次に、検索要求部１５は、読取対象の情報『タイトル』と、カテゴリを示す『本』と、検索条件を示す『著者名』，『要約』の各情報を格納した検索要求を検索サーバ２に送信する（ステップＳ１０４）。そして検索サーバ２は、読取対象の情報『タイトル』と、カテゴリを示す情報『本』と、検索条件のうちのいずれか一つである『著者名』または『要約』の組合せに基づいて、検索条件で示される『著者名』と『要約』のそれぞれについての組合せ毎に、検索処理を行う（ステップＳ１０５）。そして、検索サーバ２は『タイトル』，『本』，『著者名』の組合せによる検索結果と、『タイトル』，『本』，『要約』の組合せによる検索結果とを出力し、それぞれを情報管理装置１に送信する（ステップＳ１０６）。なお、検索結果には、読取対象の情報と、カテゴリを示す情報と、検索条件を示す情報も格納されて送信される。
【００１８】
次に、通信処理部１１が検索結果を受信し、登録処理部１６が検索結果の通知を受ける。ここで、データベース１７においては、カテゴリを示す『本』と検索情報である『著者名』の組合せによる検索結果を登録する場合のＸＭＬ（eXtensible Markup Language）テンプレートと、カテゴリを示す『本』と検索情報である『要約』の組合せによる検索結果を登録する場合のＸＭＬテンプレートとを別々に保持している。このＸＭＬテンプレートは、検索結果を登録する際に利用されるものであり、ＸＭＬで記述されたプログラム中に検索結果の情報を書き込むことによって、登録する情報が生成されるものである。そして、登録処理部１６は、『タイトル』，『本』，『著者名』の組合せによる検索結果と、カテゴリを示す『本』と検索情報である『著者名』の組合せによる検索結果を登録する場合のＸＭＬテンプレートと、を用いて、『タイトル』，『本』，『著者名』の組合せによる検索結果を登録するための登録情報を生成する（ステップＳ１０７）。また、登録処理部１６は、『タイトル』，『本』，『要約』の組合せによる検索結果と、カテゴリを示す『本』と検索情報である『要約』の組合せによる検索結果を登録する場合のＸＭＬテンプレートとを用いて、『タイトル』，『本』，『要約』の組合せによる検索結果を登録するための登録情報を生成する。そして、それら生成した登録情報をデータベース１７の所定の領域に記録する（ステップＳ１０８）。
【００１９】
以上の処理により、ユーザは、情報管理装置に備えられた光学読取装置を用いて取得した読取対象の情報を登録する際に、その関連情報を逐一検索して調べることなく、検索処理によって検索された詳細な関連情報を容易に登録することができる。また、登録する情報が、その情報に特化したＸＭＬテンプレートによって登録されることとなるので、登録情報がマークアップランゲージであるため、後の検索処理を容易に行うことができ、また情報に特化した表示形式となるような登録を行うことができる。例えば、本のタイトルに関連する情報は、その情報に特化した画面表示形態となることが望ましく、このような課題を解決することができる。
【００２０】
なお、上述の処理においては、読取対象が文章の『タイトル』であったが、他の情報でもよい。例えば、読取対象が実物の『植物』である場合には、その植物を撮影した画像が読取対象の情報となる。そして、情報管理装置１は、読取対象の情報である『植物の画像』と、選択されたカテゴリを示す『植物』と、検索条件を示す『名前』の各情報を格納した検索要求が、検索サーバ２に送信され、検索サーバ２はそれらの検索要求に格納された情報を用いて検索処理を行う。なお、画像を基にした検索処理においては、例えば、画像を解析し、画像内の各画素における色のＲＧＢ値や三刺激値、物体の輪郭などを抽出し、それらの情報を用いるようにする。そして、情報管理装置１において検索結果を受信すると、登録処理部１６は、『植物の画像』，カテゴリを示す『植物』，検索条件である『名前』の組合せによる当該検索結果と、カテゴリを示す『植物』と、検索情報である『名前』の組合せによる検索結果を登録する場合のＸＭＬテンプレートとを用いて登録情報を生成し、データベース１７に登録する。
【００２１】
また、読取対象は上述に記載した文章や画像の他、二次元コード、カラーコード、バーコードであっても良い。これらの情報であれば、コード読取装置によって情報を読み取り、読み取った情報に格納されている文字列を、読取対象の情報とする。さらに、読取対象はＲＦＩＤの技術を利用して情報を発信する無線タグなどの記録媒体から取得したものであってもよい。
【００２２】
また、ユーザは情報管理装置１を用いて、既に登録された情報を検索表示、編集（登録した情報に日記や感想文などを追記して入力するなど）することも出来る。また、他のユーザが保持する端末や、サーバ等に、登録された情報をアップロードするようにしても良い。
【００２３】
上述の情報管理装置や検索サーバは内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。
【００２４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２５】
【図１】情報管理装置の構成を示すブロック図である。
【図２】情報登録時の画面例を示す第１の図である。
【図３】情報登録時の画面例を示す第２の図である。
【図４】情報登録時の画面例を示す第３の図である。
【図５】情報登録時の画面例を示す第４の図である。
【図６】情報管理装置の処理フローを示す図である。
【符号の説明】
【００２６】
１・・・情報管理装置
２・・・検索サーバ
１１・・・通信処理部
１２・・・制御部
１３・・・情報読取部
１４・・・検索条件特定部
１５・・・検索要求部
１６・・・登録処理部
１７・・・データベース
【図１】
0005223328.tif 000002
【図２】
0005223328.tif 000003
【図３】
0005223328.tif 000004
【図４】
0005223328.tif 000005
【図５】
0005223328.tif 000006
【図６】
0005223328.tif 000007